【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
交流電圧発生装置であって、
第１および第２の３相コイルと、
前記第１および第２の３相コイルにそれぞれ接続され、電圧供給線から直流電圧を受ける第１および第２のインバータと、
当該交流電圧発生装置から交流電圧の供給を受ける外部負荷を接続可能に構成されたコネクタと、
前記第１の３相コイルの第１の中性点および前記第２の３相コイルの第２の中性点に接続され、前記第１および第２の中性点と前記コネクタとの間に配設されるリレー回路と、
前記第１および第２のインバータならびに前記リレー回路の動作を制御する制御装置とを備え、
前記第１のインバータは、前記制御装置からの第１の制御信号に応じて、所定の周波数を有する第１の交流電圧を前記第１の中性点に発生させ、
前記第２のインバータは、前記制御装置からの第２の制御信号に応じて、前記所定の周波数を有し、かつ、前記第１の交流電圧の位相を反転した第２の交流電圧を前記第２の中性点に発生させ、
前記リレー回路は、前記制御装置からの第３の制御信号に応じて前記第１および第２の中性点を前記コネクタと電気的に接続し、前記第１および第２の中性点間に生じる前記所定の周波数を有する第３の交流電圧を前記コネクタへ出力する、交流電圧発生装置。
【請求項２】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１の制御部は、前記所定の周波数を有する互いに同相の第１の交流電流を前記第１から第３のコイルの少なくとも１つのコイルに流すように前記第１から第３のアームの少なくとも１つのアームをスイッチング制御し、
前記第２の制御部は、前記第１の交流電流の位相を反転した互いに同相の第２の交流電流を前記第４から第６のコイルの少なくとも１つのコイルに流すように前記第４から第６のアームの少なくとも１つのアームをスイッチング制御する、請求項１に記載の交流電圧発生装置。
【請求項３】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１の制御部は、前記所定の周波数で変化する第１の曲線に従って前記第１から第３のアームの第１のデューティーを変化させて前記第１から第３のアームをスイッチング制御し、
前記第２の制御部は、前記第１の曲線の位相を反転した第２の曲線に従って前記第４から第６のアームの第２のデューティーを変化させて前記第４から第６のアームをスイッチング制御する、請求項１に記載の交流電圧発生装置。
【請求項４】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１の制御部は、前記第１から第３のコイルが発電した交流電圧を直流電圧に変換するように前記第１のインバータを制御し、
前記第２の制御部は、前記第１から第３のコイルが発電した交流電圧の位相を反転した互いに同相の交流電流を前記第４から第６のコイルの少なくとも１つのコイルに流すように前記第４から第６のアームの少なくとも１つのアームをスイッチング制御する、請求項１に記載の交流電圧発生装置。
【請求項５】
前記電圧供給線に前記直流電圧を供給する直流電源をさらに備え、
前記制御装置は、前記直流電源の充電状態に基づいて、前記コネクタから前記外部負荷への前記第３の交流電圧の出力を許可するか否かを決定する、請求項１から請求項４のいずれか１項に記載の交流電圧発生装置。
【請求項６】
前記リレー回路は、前記コネクタから前記外部負荷への前記第３の交流電圧の出力を前記制御装置が不許可にしているとき、前記第３の制御信号に応じて前記第１および第２の中性点を前記コネクタから電気的に切離す、請求項１から請求項５のいずれか１項に記載の交流電圧発生装置。
【請求項７】
前記制御装置は、前記コネクタから前記外部負荷への前記第３の交流電圧の出力を不許可にしているとき、前記第１および第２の中性点間に電圧差が発生しないように前記第１および第２のインバータを制御する、請求項１から請求項６のいずれか１項に記載の交流電圧発生装置。
【請求項８】
前記制御装置は、前記コネクタから前記外部負荷への前記第３の交流電圧の出力を不許可にしているとき、前記第１および第２のインバータの動作を停止させる、請求項１から請求項６のいずれか１項に記載の交流電圧発生装置。
【請求項９】
動力出力装置であって、
第１の３相コイルをステータコイルとして含む第１のモータジェネレータと、
第２の３相コイルをステータコイルとして含む第２のモータジェネレータと、
前記第１および第２の３相コイルにそれぞれ接続され、電圧供給線から直流電圧を受ける第１および第２のインバータと、
当該動力出力装置から交流電圧の供給を受ける外部負荷を接続可能に構成されたコネクタと、
前記第１の３相コイルの第１の中性点および前記第２の３相コイルの第２の中性点に接続され、前記第１および第２の中性点と前記コネクタとの間に配設されるリレー回路と、
前記第１および第２のインバータならびに前記リレー回路の動作を制御する制御装置とを備え、
前記第１のインバータは、前記制御装置からの第１の制御信号に応じて、所定の周波数を有する第１の交流電圧を前記第１の中性点に発生させ、
前記第２のインバータは、前記制御装置からの第２の制御信号に応じて、前記所定の周波数を有し、かつ、前記第１の交流電圧の位相を反転した第２の交流電圧を前記第２の中性点に発生させ、
前記リレー回路は、前記制御装置からの第３の制御信号に応じて前記第１および第２の中性点を前記コネクタと電気的に接続し、前記第１および第２の中性点間に生じる前記所定の周波数を有する第３の交流電圧を前記コネクタへ出力する、動力出力装置。
【請求項１０】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１および第２のモータジェネレータが非駆動状態のとき、
前記第１の制御部は、前記所定の周波数を有する互いに同相の第１の交流電流を前記第１から第３のコイルの少なくとも１つのコイルに流すように前記第１から第３のアームの少なくとも１つのアームをスイッチング制御し、
前記第２の制御部は、前記第１の交流電流の位相を反転した互いに同相の第２の交流電流を前記第４から第６のコイルの少なくとも１つのコイルに流すように前記第４から第６のアームの少なくとも１つのアームをスイッチング制御する、請求項９に記載の動力出力装置。
【請求項１１】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１および第２のモータジェネレータが駆動状態のとき、
前記第１の制御部は、前記所定の周波数で変化する第１の曲線に従って前記第１から第３のアームの第１のデューティーを変化させて前記第１から第３のアームをスイッチング制御し、
前記第２の制御部は、前記第１の曲線の位相を反転した第２の曲線に従って前記第４から第６のアームの第２のデューティーを変化させて前記第４から第６のアームをスイッチング制御する、請求項９に記載の動力出力装置。
【請求項１２】
前記第１の３相コイルは、第１から第３のコイルを含み、
前記第２の３相コイルは、第４から第６のコイルを含み、
前記第１のインバータは、前記第１から第３のコイルに対応して設けられる第１から第３のアームを含み、
前記第２のインバータは、前記第４から第６のコイルに対応して設けられる第４から第６のアームを含み、
前記制御装置は、前記第１および第２のインバータをそれぞれ制御する第１および第２の制御部を含み、
前記第１のモータジェネレータが回生モードであり、前記第２のモータジェネレータが非駆動状態のとき、
前記第１の制御部は、前記第１から第３のコイルが発電した交流電圧を直流電圧に変換するように前記第１のインバータを制御し、
前記第２の制御部は、前記第１から第３のコイルが発電した交流電圧の位相を反転した互いに同相の交流電流を前記第４から第６のコイルの少なくとも１つのコイルに流すように前記第４から第６のアームの少なくとも１つのアームをスイッチング制御する、請求項９に記載の動力出力装置。
【請求項１３】
前記電圧供給線に前記直流電圧を供給する直流電源をさらに備え、
前記第１のモータジェネレータは、車両の内燃機関に連結され、
前記第２のモータジェネレータは、前記車両の駆動輪に連結され、
前記制御装置は、
前記直流電源の充電状態が第１の所定値を下回っているとき、前記コネクタから前記外部負荷への前記第３の交流電圧の出力を不許可にし、かつ、前記内燃機関を始動させて前記第１のモータジェネレータにより発電が行なわれるように前記第１のインバータを制御し、
前記直流電源の充電状態が少なくとも前記第１の所定値以上の第２の所定値を上回った後、前記コネクタから前記外部負荷への前記第３の交流電圧の出力を許可する、請求項９から請求項１２のいずれか１項に記載の動力出力装置。
【請求項１４】
前記第１の所定値は、前記内燃機関の温度が低いほど大きい、請求項１３に記載の動力出力装置。
【手続補正２】
【補正対象書類名】明細書
【補正対象項目名】００５１
【補正方法】変更
【補正の内容】
【００５１】
また、制御装置６０は、電圧ＶｄｃならびにモータジェネレータＭＧ１のモータ電流ＭＣＲＴ１およびトルク指令値ＴＲ１に基づいて、モータジェネレータＭＧ１を駆動するための信号ＰＷＭ１を生成し、その生成した信号ＰＷＭ１をインバータ２０へ出力する。さらに、制御装置６０は、電圧ＶｄｃならびにモータジェネレータＭＧ２のモータ電流ＭＣＲＴ２およびトルク指令値ＴＲ２に基づいて、モータジェネレータＭＧ２を駆動するための信号ＰＷＭ２を生成し、その生成した信号ＰＷＭ２をインバータ３０へ出力する。
【手続補正３】
【補正対象書類名】明細書
【補正対象項目名】００５４
【補正方法】変更
【補正の内容】
【００５４】
図２は、図１に示した制御装置６０の機能ブロック図である。図２を参照して、制御装置６０は、コンバータ制御部６１と、第１および第２のインバータ制御部６２，６３と、ＡＣ出力制御部６４とを含む。コンバータ制御部６１は、バッテリ電圧Ｖｂ、電圧Ｖｄｃ、トルク指令値ＴＲ１，ＴＲ２、およびモータ回転数ＭＲＮ１，ＭＲＮ２に基づいて昇圧コンバータ１０のｎｐｎ型トランジスタＱ１，Ｑ２をオン／オフするための信号ＰＷＣを生成し、その生成した信号ＰＷＣを昇圧コンバータ１０へ出力する。